(57)【要約】      （修正有）【課題】様々な種類の試料容器を計量皿上に保持することができる試料容器保持具を提供する。【解決手段】計量皿を備える電子天秤に用いられ、被測定物が内部に収容される試料容器を計量皿上に保持するための試料容器保持具５０であって、水平面に複数本の金属線５１ａ、５１ｂからなる網状部５１と、網状部から下方に伸びた複数個の脚部５２とを備え、各金属線は、上下方向に所定力以上で押圧されることで上下方向に変形され、押圧を中止すると、変形された形状を維持する構造とする。金属線の直径は、１ｍｍ以上３ｍｍ以下で、材質としては錫が好ましい。【選択図】図５
0003213096.tif 000002
【実用新案登録請求の範囲】
【請求項１】
計量皿を備える電子天秤に用いられ、
被測定物が内部に収容される試料容器を前記計量皿上に保持するための試料容器保持具であって、
水平面に複数本の金属線からなる網状部と、
前記網状部から下方に伸びた複数個の脚部とを備え、
各金属線は、上下方向に所定力以上で押圧されることで、上下方向に変形され、所定力以上で押圧されることが止められると、変形された形状を維持するようになっていることを特徴とする試料容器保持具。
【請求項２】
前記金属線の直径は、１ｍｍ以上３ｍｍ以下であることを特徴とする請求項１に記載の試料容器保持具。
【請求項３】
前記試料容器は、試験管又はフラスコであることを特徴とする請求項１又は請求項２に記載の試料容器保持具。
【請求項４】
前記網状部は、複数本の縦方向金属線と、
複数本の横方向金属線とを有することを特徴とする請求項１〜請求項３のいずれか１項に記載の試料容器保持具。
【請求項５】
請求項１〜請求項４のいずれか１項に記載の試料容器保持具と、
前記計量皿と、
秤量機構を有する電子天秤本体と、
上壁と当該上壁の周縁部から下方に向かって下設された側壁とを有し、当該側壁には開口部と当該開口部を開閉可能とする開口部開閉部材とが形成されている風防とを備え、
前記風防が上方から電子天秤本体に載置されることにより、前記風防の内部に計量皿が配置されることを特徴とする電子天秤。
【考案の詳細な説明】
【技術分野】
【０００１】
本考案は、試料容器保持具及びそれを備えた電子天秤に関し、特に気流の影響を防止する風防を備える電子天秤に用いられる試料容器保持具に関する。
【背景技術】
【０００２】
実験室等では、粉体等の被測定物を計量するために電子天秤が使用されている。このとき、測定者は、電子天秤の上面に形成された計量皿の載置面に、ヘラもしくはスプーン（スパチュラ）を用いて被測定物を載置していきながら、表示された測定結果を確認することで、目的重量の被測定物を得ている。
ところで、薬品工業や化学工業等の分野において、実験室では、多量の被測定物を計量したり、少量（例えば０．１ｍｇ）の被測定物を計量したりというように、様々な量の被測定物の計量を行っている。このとき、少量の被測定物を計量する際には、ごく微量の秤量が極めて重要となる。しかし、扉の開閉により秤量室内の気流が不安定となるため、計量値の安定に時間がかかる。特に、空調から吹き出される気流の影響を受ける場所で被測定物を計量する場合には、空調の気流によって計量皿の揺れ（振動）が生じ、表示される測定結果がいつまでたっても定まらずに変動することがある。
【０００３】
そこで、気流の影響を防止するための風防を備える電子天秤が開示されている（例えば、特許文献１参照）。
図１は、風防を備える電子天秤の一例を示す平面図であり、図２は、図１の電子天秤における閉扉状態の側面図であり、図３は、図２同様の正面断面図であり、図４は、図２同様の開扉状態の側面図である。
電子天秤１は、秤量機構等を有する電子天秤本体１０と、気流の影響を防止する風防２０と、被測定物が載置される取付部付計量皿４０とを備える。
【０００４】
電子天秤本体１０は、扁平形状のハウジング１０ａと、ハウジング１０ａ上面の前部側に設けられたパネル部１０ｂと、ハウジング１０ａ上面の中央部に設けられた円錐形状の凸部１０ｃと、ハウジング１０ａ内部に収納された秤量機構１０ｄとを備える。
【０００５】
取付部付計量皿４０は、上方から視ると直径Ｄ（例えば８〜９ｃｍ）の円形状の載置面を有する計量皿４０ａと、計量皿４０ａ下面の中央部に形成された孔を有する取付部４０ｂとを有する。これにより、取付部付計量皿４０は、電子天秤本体１０の凸部１０ｃが取付部４０ｂの孔に挿入されることにより、電子天秤本体１０の上面に取り付けられるようになっている。
【０００６】
風防２０は、ガラス製の四角形の前側壁３０ａと、ガラス、金属又はプラスチック製の四角形の後側壁３０ｂと、前側壁３０ａの四隅と後側壁３０ｂの四隅との間で互いに平行に形成された四本のガイド柱部３０ｃとを有する枠体（側壁）３０と、ガラス製の四角形の上側開口部開閉部材２１と、ガラス製の四角形の右側開口部開閉部材２２と、ガラス製の四角形の左側開口部開閉部材２３とを有する。
４本のガイド柱部３０ｃには、上側開口部開閉部材２１と右側開口部開閉部材２２と左側開口部開閉部材２３とを前後方向にスライドさせることができる溝が形成されており、この溝に、上側開口部開閉部材２１の左右端部が挿入されることで、上側開口部開閉部材２１が前後方向に移動可能となるように枠体３０の上面に取り付けられ、右側開口部開閉部材２２の上下端部が挿入されることで、右側開口部開閉部材２２が前後方向に移動可能となるように枠体３０の右側面に取り付けられ、左側開口部開閉部材２３の上下端部が挿入されることで、左側開口部開閉部材２３が前後方向に移動可能となるように枠体３０の左側面に取り付けられる。
なお、上側開口部開閉部材２１が、枠体３０の上面に取り付けられることにより、上壁として働くことになる。
【０００７】
また、上側開口部開閉部材２１の上面の前部には、上方に突出する把持部２１ａが形成されており、右側開口部開閉部材２２の右側面の前部には、右方に突出する把持部２２ａが形成されており、左側開口部開閉部材２３の左側面の前部には、左方に突出する把持部２３ａが形成されている。
これにより、測定者は、把持部２１ａを手で掴んで上側開口部開閉部材２１を後方向にスライドさせることで、図４に示すように枠体３０の上側開口部を開けたり、図２に示すように前方向にスライドさせることで上側開口部を閉じたりすることができるようになっている。また、把持部２２ａを手で掴んで右側開口部開閉部材２２を後方向にスライドさせることで、図４に示すように枠体３０の右側開口部を開けたり、図２に示すように前方向にスライドさせることで右側開口部を閉じたりすることができるようになっている。さらに、把持部２３ａを手で掴んで左側開口部開閉部材２３を後方向にスライドさせることで、枠体３０の左側開口部を開けたり、前方向にスライドさせることで、左側開口部を閉じたりすることができるようになっている。
【０００８】
このような風防２０が上方から電子天秤本体１０に載置されることにより、風防２０の内部に取付部付計量皿４０が配置される。そして、測定者は、把持部２２ａ等を手で掴んで後方向にスライドさせて右側開口部等を開けることにより、計量皿４０ｂの載置面中央部にヘラもしくはスプーンを用いて被測定物を載置し、計量皿４０ｂに被測定物を載置した後には、把持部２２ａ等を手で掴んで前方向にスライドさせて右側開口部等を閉じることにより、パネル部１０ｂに表示された測定結果を確認している。
【０００９】
ところで、被測定物が液体等の場合の秤量測定では、計量皿４０ａの載置面に被測定物を載置するのではなく、計量皿４０ａの載置面に載置された試験管やフラスコ（試料容器）内に被測定物を収容することがある。このとき、試料容器となる試験管やフラスコを傾けて計量皿４０ａの載置面に保持するための試料容器保持具が用いられる。
【００１０】
試料容器保持具を用いることにより、試験管やフラスコ等の試料容器の口部が右側開口部等の近傍に配置され、試料容器への距離が近くなるので、風防２０の内部にピペット等を握った手を入れることなく、試料容器内に被測定物を容易に収容することができる。
【先行技術文献】
【特許文献】
【００１１】
【特許文献１】特開平９−４３０４１号公報
【考案の概要】
【考案が解決しようとする課題】
【００１２】
しかしながら、試料容器保持具は、使用する試料容器の形状に合わせたものを準備する必要があり、様々な種類の試料容器を使用する場合には、試料容器ごとに試料容器保持具を準備しなければならず、コストがかさむという問題があった。
そこで、本考案は、様々な種類の試料容器を計量皿上に保持することができる試料容器保持具及びそれを備えた電子天秤を提供することを目的とする。
【課題を解決するための手段】
【００１３】
上記課題を解決するためになされた本考案の試料容器保持具は、計量皿を備える電子天秤に用いられ、被測定物が内部に収容される試料容器を前記計量皿上に保持するための試料容器保持具であって、水平面に複数本の金属線からなる網状部と、前記網状部から下方に伸びた複数個の脚部とを備え、各金属線は、上下方向に所定力以上で押圧されることで、上下方向に変形され、所定力以上で押圧されることが止められると、変形された形状を維持するようになっている。
【００１４】
ここで、「所定力」とは、設計者等によって予め決められた任意の力であり、測定者等が手で変形させることができ、試料容器の重量では変形しないような力量である。
【考案の効果】
【００１５】
以上のように、本考案の試料容器保持具によれば、形状が簡単に変更でき、一つの試料容器保持具で多種の試料容器を保持することができる。
【００１６】
（他の課題を解決するための手段及び効果）
また、上記の考案において、前記金属線の直径は、１ｍｍ以上３ｍｍ以下であるようにしてもよい。
【００１７】
また、上記の考案において、前記試料容器は、試験管又はフラスコであるようにしてもよい。
また、本考案において、前記網状部は、複数本の縦方向金属線と、複数本の横方向金属線とを有するようにしてもよい。
【００１８】
そして、本考案の電子天秤は、上述したような試料容器保持具と、前記計量皿と、秤量機構を有する電子天秤本体と、上壁と当該上壁の周縁部から下方に向かって下設された側壁とを有し、当該側壁には開口部と当該開口部を開閉可能とする開口部開閉部材とが形成されている風防とを備え、前記風防が上方から電子天秤本体に載置されることにより、前記風防の内部に計量皿が配置されるようにしてもよい。
【図面の簡単な説明】
【００１９】
【図１】風防を備える電子天秤の一例を示す平面図。
【図２】図１の電子天秤における閉扉状態の側面図。
【図３】図２同様の正面断面図。
【図４】図２同様の開扉状態の側面図。
【図５】本考案の第一実施形態に係る試料容器保持具の一例を示す斜視図。
【図６】本考案の試料容器保持具により三角フラスコを保持した際の電子天秤を示す正面断面図。
【図７】丸底フラスコを用いた際の図６同様の正面断面図。
【図８】本考案の第二実施形態に係る試料容器保持具の一例を示す斜視図。
【考案を実施するための形態】
【００２０】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００２１】
＜第一実施形態＞
電子天秤１は、秤量機構等を有する電子天秤本体１０と、気流の影響を防止する風防２０と、被測定物が載置される取付部付計量皿４０と、試料容器保持具５０とを備える。
【００２２】
図５は、本考案の第一実施形態に係る試料容器保持具の一例を示す斜視図である。
試料容器保持具５０は、平面視で四角形となる網状部５１と、四角形の網状部５１の周縁部から下方に伸びた（Ｍ＋Ｎ−４）本の脚部５２とを備える。
【００２３】
網状部５１は、縦方向に伸び横方向に所定間隔を開けて並べられたＮ本の縦方向金属線５１ａと、横方向に伸び縦方向に所定間隔を開けて並べられたＭ本の横方向金属線５１ｂとからなるＭ行Ｎ列の網体となっている。
上記所定間隔は、設計者等によって予め決められた任意の間隔であり、後述する試料容器Ｓ、Ｓ’を載置することができ、かつ、変形できる間隔となり、０．５ｃｍ以上２ｃｍ以下であることが好ましい。
【００２４】
脚部５２は、Ｎ本の縦方向金属線５１ａの両端部とＭ本の横方向金属線５１ｂの両端部（四角形の網状部５１の周縁部）から下方に所定距離だけ伸びた（Ｍ＋Ｎ−４）本の金属線である。
上記所定距離は、０．５ｃｍ以上２ｃｍ以下であることが好ましい。
【００２５】
そして、上記金属線の直径は、１ｍｍ以上３ｍｍ以下であることが好ましく、上記金属線の材質としては、例えば錫等が挙げられる。
このような網状部５１と脚部５２とによれば、測定者の手によって所定力以上で押圧されることで変形することができ、また所定力以上で押圧するのを止めると、変形された形状のまま維持することができる。
【００２６】
次に、本考案に係る試料容器保持具５０の使用方法について説明する。
（１）試料容器として三角フラスコを用いる場合（図６参照）
まず、測定者は、試料容器保持具５０の網状部５１における所定位置を手で下方に押圧することにより、側面視で逆三角形の凹部を形成する。次に、測定者は、試料容器保持具５０の網状部５１の逆三角形の凹部に試料容器となる三角フラスコＳを載置する。次に、測定者は、電子天秤１の把持部２２ａ等を手で掴んで後方向にスライドさせて右側開口部等を開けることにより、計量皿４０ａの載置面に脚部５２の下端部を載置し、三角フラスコＳが保持された試料容器保持具５０を載置する。このとき、三角フラスコＳの口部は、右側開口部の近傍に配置されるようにする。
【００２７】
そして、測定者は、三角フラスコＳ内にピペット等を用いて被測定物を収容し、被測定物を収容した後は、把持部２２ａ等を手で掴んで前方向にスライドさせて右側開口部等を閉じることにより、パネル部１０ｂに表示された測定結果を確認する。
【００２８】
（２）試料容器として丸底フラスコを用いる場合（図７参照）
まず、測定者は、試料容器保持具５０の網状部５１における所定位置を手で下方に押圧することにより、側面視で半球状の凹部を形成する。次に、測定者は、試料容器保持具５０の網状部５１の半球状の凹部に丸底フラスコＳ’を載置する。次に、測定者は、電子天秤１の把持部２２ａ等を手で掴んで後方向にスライドさせて右側開口部等を開けることにより、計量皿４０ａの載置面に脚部５２の下端部を載置し、丸底フラスコＳ’が保持された試料容器保持具５０を載置する。このとき、丸底フラスコＳ’の口部は、右側開口部の近傍に配置されるようにする。
【００２９】
そして、測定者は、丸底フラスコＳ’内にピペット等を用いて被測定物を収容し、被測定物を収容した後は、把持部２２ａ等を手で掴んで前方向にスライドさせて右側開口部等を閉じることにより、パネル部１０ｂに表示された測定結果を確認する。
【００３０】
以上のように、本考案の試料容器保持具５０によれば、形状が簡単に変更でき、一つの試料容器保持具５０で三角フラスコＳや丸底フラスコＳ’のように様々な形状の試料容器を保持することができる。
【００３１】
＜第二実施形態＞
図８は、本考案の第二実施形態に係る試料容器保持具の一例を示す斜視図である。
試料容器保持具６０は、平面視で円形となる網状部６１と、円形の網状部６１の周縁部から下方に伸びた４本の脚部６２とを備える。
【００３２】
網状部６１は、同一の中心を有し、中心からの半径が異なるＮ本の円環形状の金属線６１ａと、中心から円周方向に伸びたＭ本の横方向金属線６１ｂとからなる網体となっている。試料容器Ｓ、Ｓ’の設置方法については上述した通りである。
【００３３】
以上のように、本考案の試料容器保持具６０によれば、形状が簡単に変更でき、一つの試料容器保持具６０で三角フラスコＳや丸底フラスコＳ’のように様々な形状の試料容器を保持することができる。
【産業上の利用可能性】
【００３４】
本考案は、気流の影響を防止する風防を備える電子天秤等に利用することができる。
【符号の説明】
【００３５】
１  電子天秤
４０  計量皿
５０  試料容器保持具
５１  網状部
５１ａ  縦方向金属線
５１ｂ  横方向金属線
５２  脚部
Ｓ  試料容器
【図１】
0003213096.tif 000003
【図２】
0003213096.tif 000004
【図３】
0003213096.tif 000005
【図４】
0003213096.tif 000006
【図５】
0003213096.tif 000007
【図６】
0003213096.tif 000008
【図７】
0003213096.tif 000009
【図８】
0003213096.tif 000010